(57)【特許請求の範囲】
【請求項１】
棚フレームに上下方向で複数段にして販売商品を収容可能とし且つスライド手段によって前後にスライドする商品陳列台を配し、商品陳列台は、後方へのスライド位置で商品陳列部位における上段位の他の商品陳列台によって上部開口部分が閉塞されるものとした陳列棚において、商品陳列台は、内部で左右方向にスライド可能として配置した左右仕切部材と、左右仕切部材に対し前後の適宜位置で直角に組み込まれて販売商品陳列部を商品陳列台の前部に、商品ストック部を商品陳列台の後部にそれぞれ区画形成する前後仕切部材とを備えて成り、前後仕切部材の上縁は、上段位の商品陳列台底部に近接した高さ位置に設定して形成してあり、商品陳列台の左右側壁と前後仕切部材との接合部分には、左右側壁と前後仕切部材とに跨って嵌め込まれる略Ｌ字形袋状の固定部材によって左右側壁に対し前後仕切部材が固定されており、左右仕切部材は、複数の取付凹部が適宜間隔で配置され、この取付凹部の分割区画する位置に合わせた一つを選んで前後仕切部材が嵌め合い交差されており、商品陳列台の内底部に設置可能な底上部材を備えていて、この底上部材の上に前記した左右仕切部材および前後仕切部材が配置されており、商品陳列台は、後方位置でロック機構によって前方へのスライド引き出しを阻止してロックされていて、このロック機構は、前記棚フレーム後部の内側面に沿って左右方向に揺動可能となって中央支持軸を介して配されたシーソー型のレバーの一端側をバネによって上方へ付勢させ、他端側を下方に押し下げて通電されるソレノイドロックのプランジャに連結すると共に、前記商品陳列台を載せたスライド台の後端部には、下方に押し下げられているレバー他端が引っ掛けられてロックされるように中央に孔が設けられたフック部が突設されていて、前記ソレノイドロックに通電されたときには、プランジャを牽引作動してレバーの他端側をフック部から解除し、商品陳列台を前方にスライド可能にさせるようになっていることを特徴とする大量盗難抑止機能付の商品陳列棚装置。
【発明の詳細な説明】
【技術分野】
【０００１】
本発明は、主として化粧品をその販売商品あるいはそのテスト見本品（試用見本品）と、これに対応して補充販売するためにこれらの後方にストックされる販売商品等を纏めて陳列でき、またその販売商品等の特に大量の盗難を抑止でき、商品補充の容易性等も考慮された大量盗難抑止機能付の商品陳列棚装置に関する。
【背景技術】
【０００２】
従来から化粧品等の商品は、肌・皮膚等に直接に触れるから、商品の性質上、購入者にとっては実際上の使用感、色合いその他を試す必要があり、商品販売場所等ではその試用見本が陳列されている。また、これらの商品は、販売するためにも購入者がその購入商品を取り出しやすいようにある程度の数量でストックさせて陳列棚等に陳列されていることが必要である。一方、販売者側では販売後で空くことになるストック部分に商品を補充する必要もある。特に化粧品の場合には、主として女性が購入し、使用するから、商品更にはその陳列場所等で醸し出される美的な雰囲気も購買促進を図る上では重要なポイントとなっている。
【０００３】
ただ、こうした化粧品自体は、体裁が良好な美麗な容器・ケース等に収納されていて、比較的に小型でありながら高価なものであり、それ故、盗難の対象物として狙われることが比較的に多い。しかも、近時は単なる１品毎のいわゆる万引きではなく、グループで集団となって陳列棚から一時に大量に盗む窃盗団による被害が増加しているのが現状である。そこで、盗難防止のために、例えばその一方法として、陳列棚には試用見本品のみを前部に配置すると共に販売すべき販売商品を試用見本品とは完全に隔離した仕切板を隔てて後部に纏めて配置しておき、購入の要望があれば仕切板を開放して販売商品を取り出し、購入者に手渡すものとしている。また、他の方法として、試用見本品及びこれに対応した商品の購入を申し込むための購入カードを置いておき、購入カードの持参者に例えば支払い会計のためのレジカウンター等で直接に購入商品を手渡すことも行われている。
【０００４】
こうすると、購入者にとっては販売員に仕切板の開放等を要請したり、購入カードをその都度持参したりしなければならず、極めて面倒である。また、購入カード式によれば、販売者側では商品のストックヤードを別に設置する必要があるばかりでなく、購入カードと商品との照応作業が必要である等、購入者・販売者それぞれにとっても煩わしいものとなっている。特に、購入者に対して煩わしさを感じさせると、販売の機会を失うことにもなりかねない。これを解消すべく、商品の盗難防止を図る盗難防止部材を商品陳列棚に設けたり（特許文献１参照）、また商品補充の容易性等を図るべく商品陳列棚を前後にスライドさせることとしたり（特許文献２参照）して、商品陳列棚に試用見本品、ストック商品等を纏めて陳列する工夫がなされている。
【先行技術文献】
【特許文献】
【０００５】
【特許文献１】特表平１１−５００６５４号公報
【特許文献２】特開２００６−８７７７７号公報
【発明の概要】
【発明が解決しようとする課題】
【０００６】
特許文献１に記載の盗難防止部材は、ベース部材上に、このベース部材上で前後にスライドする上部開放浅底ボックス状のラックユニットを配しておき、このラックユニットの商品ストック部分を盗難防止部材自体で覆うように着脱自在にすることで、正面からみてほぼ門字形を呈するように形成したものである。特許文献２に記載のスライド式陳列棚は、スライドトレー支持体に形成した溝状のガイド部に案内されるようにしたトレーを前後にスライド自在に組み付けて成るものである。
【０００７】
ところが特許文献１による盗難防止部材は、これの着脱が容易であると盗難防止に役立たないから、ラックユニットとの着脱手段の構造が複雑なものとなり、取り扱いがかえって面倒である。特許文献２によるスライド式陳列棚は、例えばトレー上に陳列される商品の補充を容易にするためにトレーを前方に引き出し、後部を開放するようにしているから、特に盗難防止が考慮されているわけではない。
【０００８】
また一方、陳列棚には販売される商品の１個乃至２個程度を陳列しておき、それが購入者によっ購入され、販売されたときに、例えば他の商品保管場所から、あるいは陳列棚下部に設けてあるストックボックス等から取り出し、補充することもある。しかしながら、このような補充方式では、販売商品の存否確認のために販売商品の販売状況、陳列棚内部等を常時監視している必要があり、販売者側にとっては煩わしいばかりでなく、陳列棚に販売商品が存在していないと、それは販売機会が全く喪失することにもなるから、盗難が抑止・防止できても、販売者側には大きなリスクを伴う。
【０００９】
そこで本発明は叙上のような従来存した諸事情に鑑み案出されたもので、販売すべき販売商品の１個あるいは適数個をあるいはそのテスト用の試用見本品のみを前部に配置し、これに対応する補充あるいは保管する複数個の販売商品とを、盗難を困難にした状態で所定のストック量分で保管させて陳列棚に前後で区分けして纏めて陳列保管でき、またその補充も容易であるようにする大量盗難抑止機能付の商品陳列棚装置を提供することを目的とする。
【課題を解決するための手段】
【００１０】
上述した課題を解決するために、本発明にあっては、棚フレーム３に上下方向で複数段にして販売商品Ｇを収容可能とし且つスライド手段６によって前後にスライドする商品陳列台５を配し、商品陳列台５は、後方へのスライド位置で商品陳列部位における上段位の他の商品陳列台５によって上部開口部分が閉塞されるものとした陳列棚１において、商品陳列台５は、内部で左右方向にスライド可能として配置した左右仕切部材１１と、左右仕切部材１１に対し前後の適宜位置で直角に組み込まれて販売商品陳列部９を商品陳列台５の前部に、商品ストック部１０を商品陳列台５の後部にそれぞれ区画形成する前後仕切部材１７とを備えたものである。
前後仕切部材１７の上縁は、上段位の商品陳列台５底部に近接した高さ位置に設定して形成することができる。
商品陳列台５の左右側壁５ｂと前後仕切部材１７との接合部分には、左右側壁５ｂと前後仕切部材１７とに跨って嵌め込まれる略Ｌ字形袋状の固定部材１８によって左右側壁５ｂに対し前後仕切部材１７が固定されるものとすることができる。
左右仕切部材１１は、複数の取付凹部１６が適宜間隔で配置され、この取付凹部１６の分割区画する位置に合わせた一つを選んで前後仕切部材１７が嵌め合い交差されるものとすることができる。
商品陳列台５の内底部に設置可能な底上部材２１を備え、この底上部材２１の上に前記した左右仕切部材１１および前後仕切部材１７が配置されるものとすることができる。
商品陳列台５は、後方位置でロック機構２２によって前方へのスライド引き出しを阻止してロックされているものとすることができる。
また、このロック機構２２は、前記棚フレーム３後部の内側面に沿って左右方向に揺動可能となって中央支持軸２４を介して配されたシーソー型のレバー２３の一端側をバネ２５によって上方へ付勢させ、他端側を下方に押し下げて通電されるソレノイドロック２６のプランジャ２７に連結すると共に、前記商品陳列台５を載せたスライド台４の後端部には、下方に押し下げられているレバー２３他端が引っ掛けられてロックされるように中央に孔が設けられたフック部２８が突設されていて、前記ソレノイドロック２６に通電されたときには、プランジャ２７を牽引作動してレバー２３の他端側をフック部２８から解除し、商品陳列台５を前方にスライド可能にさせるようにして構成することができる。
【００１１】
以上のように構成された本発明に係る大量盗難抑止機能付の商品陳列棚装置にあって、陳列棚１にスライド手段６を介して商品陳列台５を固定することで、陳列棚１における上下方向で複数段の商品陳列部を配置構成し、その商品陳列部では、前後仕切部材１７を介して、購入者が直接に商品を確認し、選択購入する販売商品Ｇ自体を陳列する販売商品陳列部９を前部に、その該当商品に相当する販売商品Ｇをストックする商品ストック部１０を後部に区画構成させる。
上段位の商品陳列台５底部に近接した高さ位置に上縁が設定された前後仕切部材１７は、商品陳列台５における商品ストック部１０への手指等の進入を阻止し、商品陳列台５が後方位置でロックされているときでは特に大量の盗難等を防止する防護壁となる。
商品陳列台５では、前部の販売商品陳列部９に陳列させた販売商品Ｇを購入させ、前方に引き出した商品陳列台５における後部の商品ストック部１０から販売商品Ｇを販売商品陳列部９に補充させる。
商品陳列台５における商品ストック部１０は、販売商品Ｇ更には販売商品陳列部９に置く試用見本品Ｔに対応して販売される販売商品Ｇを保管させる。そして、商品陳列台５が陳列部位の後方側に位置するときには、この商品ストック部１０の上部開口部分は上位の商品陳列台５等によって閉塞させられ、前後仕切部材１７は商品ストック部１０内への手指等の進入を阻止させる。
また、商品陳列台５における販売商品陳列部９内の販売商品Ｇないしは試用見本品Ｔと、商品ストック部１０内の販売商品Ｇとが互いに対応した状態で販売商品Ｇ自体を後方位置に配置させることで、例えば販売商品陳列部９内の販売商品Ｇの全てが販売済みであっても、これが商品ストック部１０にあることを確認できれば、購入者は販売商品Ｇがあることで購入者をしてその購買機会を喪失させない。
左右仕切部材１１は、商品陳列台５の内部で左右方向にスライドさせることで、陳列される種類の異なる各販売商品Ｇの数量や横幅の大きさ等に応じて、左右方向の仕切範囲を適宜変更可能にさせる。
前後仕切部材１７は、適宜間隔で配置されている複数の取付凹部１６の分割区画する位置に合わせた一つを選んで嵌め合い交差することにより、販売商品陳列部９内における販売可能な販売商品Ｇ数を多くするか、少なくするか、あるいは試用見本品Ｔのみとするかの選択を可能にさせ、盗難抑止を考慮した多様な販売形態を実現させる。
固定部材１８は、左右側壁５ｂと前後仕切部材１７とに跨って嵌め込まれることで、左右側壁５ｂに対する前後仕切部材１７の離脱を阻止させる。
底上部材２１は、商品陳列台５の内部において背が低い販売商品Ｇに対応可能にさせ、陳列時の見栄えを良好にさせる。
【発明の効果】
【００１２】
本発明によれば、主として化粧品を陳列販売するときの各種の販売商品Ｇを、一時的にでも生じ得る大量の盗難を困難に、これを抑止した状態で所定のストック量分で保管させて陳列棚１に纏めて陳列保管できるから、盗難防止のための販売商品Ｇを保管する他の別スペースを確保する必要がない。しかも、ロック機構２２による商品陳列台５のスライド引き出し操作の可否、後方位置でのロック保持等と共に上部開口が上段位の商品陳列台５によって閉塞される商品ストック部１０を有しながらも、販売後に空く販売商品陳列部９内への商品ストック部１０からの商品補充も容易である等の利点を備えている。
【００１３】
すなわちこれは、本発明において、商品陳列台５は、内部で左右方向にスライド可能とした左右仕切部材１１と、左右仕切部材１１に対し前後の適宜位置で直角に組み込まれて販売商品陳列部９を商品陳列台５の前部に、商品ストック部１０を商品陳列台５の後部にそれぞれ区画形成する前後仕切部材１７とを備えたからであり、これにより、購入者による販売商品Ｇの直接の取り出しを可能にしながら、保管する販売商品Ｇの盗難抑止に大きく役立つ。しかも、前後仕切部材１７を、適宜間隔で配置されている複数の取付凹部１６の分割区画する位置に合わせた一つを選んで嵌め合い交差させることで、販売商品陳列部９内の販売可能とする販売商品Ｇ数の選定、あるいは販売商品Ｇに関連する試用見本品Ｔのみの陳列とする等の販売商品陳列部９の容量を変更しての多様な販売形態を選択でき、また、保管される販売商品Ｇの増量、大きさ等に伴って商品ストック部１０の容量が自由に変えられる。
【００１４】
また、前後仕切部材１７によって商品陳列台５における商品ストック部１０は、販売商品陳列部９内に陳列する販売商品Ｇあるいは試用見本品Ｔに対応して販売される販売商品Ｇを保管するに足りる容量を備えることができる。そして、商品陳列台５自体が陳列部位の後方側に位置し、ロック機構２２でロックされたときには、この商品ストック部１０の上部開口部分は上位の商品陳列台５等によって閉塞されることになり、前後仕切部材１７自体が商品ストック部１０に保管されている販売商品Ｇを盗難から守る防護壁となる。こうすることで、前方から手指等を挿入して商品ストック部１０内の販売商品Ｇを一時に大量に取り出そうとしても、商品陳列台５を上段位の商品陳列台５等よりも前方に引き出さなければならないから、例えば万引きや大規模な窃盗団・グループ等による盗難を困難な状態としている。
【００１５】
そればかりでなく、商品ストック部１０にある販売商品Ｇを取り出すべく、前後仕切部材１７を取り外そうとしても、前後仕切部材１７の上縁は、上段位の商品陳列台５底部に近接した高さ位置に設定して形成したので、商品陳列台５において、前後仕切部材１７を上方に持ち上げ、取り外そうとしても前後仕切部材１７の上縁は上段位の商品陳列台５底部に当接するから、取り外すことはできず、商品ストック部１０の販売商品Ｇを安全な状態で保管でき、盗難防止に一層有効なものとしている。
【００１６】
すなわち、陳列部位で大量に販売商品Ｇを保管した状態で、それらの保管商品を一時に大量に持ち出そうとしても、商品陳列台５を前方に引き出さない限り、例えばロック機構２２で商品陳列台５がロックされていれば、盗難の機会等を与えない。また、商品陳列台５における販売商品陳列部９内には先に販売すべき販売商品Ｇを陳列し、商品ストック部１０内にはあとで販売する販売商品Ｇをストックしておくことで、例えば消費期限がある販売商品Ｇである場合、いわゆる先入れ、先出しを簡単に実現できるように区分けして販売でき、不要な売れ残り品を生じさせることもなく、販売管理の向上をも図ることができる。
【００１７】
さらに、商品陳列台５前部における販売商品陳列部９内に、試用見本品Ｔ及び販売すべき１乃至２・３個の販売商品Ｇを置いておくことで、購入者は試用見本品Ｔと同一の販売商品Ｇを販売可能なものとしておいてある販売商品陳列部９から持ち出せば良く、販売者にとってその販売の機会を逸することがない。また、販売商品陳列部９内に試用見本品Ｔを陳列し、この試用見本品Ｔに対応する販売商品Ｇを商品ストック部１０内にストックすることで、販売商品Ｇは試用見本品Ｔの後方位置に配置されることで、販売商品Ｇの存在、在庫等を購入者は簡単に確認できるから、購入者をしてその購買機会を喪失させないようにすることができる。
【００１８】
しかも、販売に伴い販売商品陳列部９内の販売商品Ｇが減少し、また空になったときには商品ストック部１０からの補充も容易にできるばかりでなく、従来のように販売商品Ｇを別の場所に保管するストックヤードの設置も必要なく、総じてその販売間接費用等を大きく節減できる利点もある。尚、販売商品Ｇを商品陳列台５における商品ストック部１０内から取り出す際には、例えばロック機構２２によるロックを解除して商品陳列台５を前方にスライド移動させて、前後仕切部材１７後方の商品ストック部１０自体の上部開口部分を上段位の商品陳列台５等の前縁から前方に位置して開放させれば良く、商品ストック部１０内の販売商品Ｇを直接に取り出すこともできる。
【００１９】
商品陳列台５の左右側壁５ｂと前後仕切部材１７との接合部分には、左右側壁５ｂと前後仕切部材１７とに跨って嵌め込まれる略Ｌ字形袋状の固定部材１８によって左右側壁５ｂに対し前後仕切部材１７が固定されるので、左右側壁５ｂに対する前後仕切部材１７の離脱を未然に防止することができる。
【００２０】
左右仕切部材１１は、複数の取付凹部１６が適宜間隔で配置され、この取付凹部１６の分割区画する位置に合わせた一つを選んで前後仕切部材１７が嵌め合い交差されるので、商品陳列台５の内部で左右方向にスライドさせることで、陳列される種類の異なる各商品の数量や横幅の大きさ等に応じて、左右方向の仕切範囲を適宜変えることがきる。
【００２１】
商品陳列台５の内底部に設置可能な底上部材２１を備え、この底上部材２１の上に前記した左右仕切部材１１および前後仕切部材１７が配置されるので、商品陳列台５の内部において商品の背が低いものに対応でき、底上部材２１を使用しない背の高い商品の陳列と組み合わせることで、商品陳列の立体的なアレンジメントが可能となる
【００２２】
尚、上記の課題を解決するための手段、発明の効果の項それぞれにおいて付記した符号は、図面中に記載した構成各部を示す部分との参照を容易にするために付したもので、図面中の符号によって示された構造・形状に本発明が限定されるものではない。
【図面の簡単な説明】
【００２３】
【図１】本発明を実施するための一形態を示す分解斜視図である。
【図２】同じく組立後の斜視図である。
【図３】同じく側断面図である。
【図４】同じく底上部材と共に使用する例を示す分解斜視図である。
【図５】同じく商品陳列台内を区画板によって左右に区画して使用する場合の組立後の斜視図である。
【図６】同じくロック機構の一例を概念的に示した斜視図である。
【発明を実施するための形態】
【００２４】
以下、図面を参照して本発明の実施の一形態を詳細に説明すると、図において示される符号１は陳列棚であり、図２および図３に示すように、例えばラック２等の上下方向に沿う適宜間隔で配置された棚フレーム３にスライド台４が設置され、このスライド台４上に商品陳列台５が載置固定され、このスライド台４をスライド手段６を介して前後にスライド可能として商品陳列台５を多段的に配置している。
【００２５】
スライド手段６は、例えば棚フレーム３に前後方向に敷設された前後ガイドレール７と、この前後ガイドレール７にボールベアリング等の滑動部材を介してスライドするように嵌め合わせた前後スライドレール８とから成る。前後ガイドレール７は上方開放の断面で溝形を呈する長尺状に形成されており、前後スライドレール８は下方開放の断面で溝形を呈する長尺状に形成されていて、滑動部材を介在させることで嵌め合いが離脱しないように相互に噛み合っており、互いに相対的に移動可能にしてある。そして、この前後スライドレール８にスライド台４が固定され、スライド台４に商品陳列台５が固定される。
【００２６】
商品陳列台５は、図１乃至図３に示すように、例えば透明な硬質合成樹脂（ＰＥＴ）製材等により、上部が開口したボックス状に形成されており、前部壁５ａの高さを若干低くして一部開放させることで後述する前部の販売商品陳列部９からの販売商品Ｇないしは試用見本品Ｔ等を取り出し易くしている。商品陳列台５の後部壁５ｃ内面には、断面略Ｌ字状の横長枠形となって突設した例えば上下二段の左右スライドレール１３が並設されており、この左右スライドレール１３には後述する複数枚の左右仕切部材１１が水平方向にスライド可能となって商品陳列台５の左右方向に沿った適宜間隔で配置される。こうして、下側の左右スライドレール１３に左右仕切部材１１が掛架された際には、左右仕切部材１１の下端縁が商品陳列台５の内底部に略当接される。
【００２７】
また、図４および図５に示すように、商品陳列台５に背の低い販売商品Ｇが陳列される場合には、例えば透明な硬質合成樹脂（ＰＥＴ）製材により下部、後部が開口した断面略Ｌ字形枠状となって形成された底上部材２１を商品陳列台５内に配置し、その高さを補うようにしてある。この底上部材２１の上部板の奥行き長さは商品陳列台５における底部の奥行き長さと略同一としてあり、商品陳列台５の内底部に設置させた際には、上部板の高さが上側の左右スライドレール１３よりも若干下側に位置するように形成されている。そして、この底上部材２１は、商品陳列台５内に配置されたとき、上部板の後部縁が、上側の左右スライドレール１３の下方位置で、左右スライドレール１３に沿って商品陳列台５の後部壁５ｃ内側面に配設した帯板状の支持片２０上に載せられることで商品陳列台５内で固定保持されるようになっている。また、商品陳列台５内に固定保持された底上部材２１の上では、上側の左右スライドレール１３に掛架した左右仕切部材１１の下端縁が上部板面に略当接される。
【００２８】
左右仕切部材１１は、左右スライドレール１３を把持するスライダ１２が後端下部に取り付けられていて、商品陳列台５の内底部あるいは底上部材２１上で左右方向にスライド可能に配置される。スライダ１２は左右スライドレール１３を把持して係合するため、断面略Ｌ字状の左右スライドレール１３の垂直部の前後面を上側から挿入して把持する下向きコ字形の把持部１４と、左右スライドレール１３の水平部下面を係止するＬ字形の係止部１５とを有して成る。
【００２９】
左右仕切部材１１には、これの上端縁から縦長の切欠溝状に形成された複数の例えば５個の取付凹部１６が前後方向に沿って適宜間隔で配置され、この取付凹部１６のいずれか一つに例えば透明な硬質合成樹脂（ＰＥＴ）製材により形成された横長板状の前後仕切部材１７が衝立状となって嵌め合い交差される。この前後仕切部材１７は、その横幅が商品陳列台５の左右側壁５ｂ相互の間隔と略同じ長さを有し、左右仕切部材１１の取付凹部１６に嵌め合い交差したとき、前後仕切部材１７の上端縁と商品陳列台５の左右側壁５ｂの上端縁とが同じ高さとなってほぼ合致し、商品陳列台５の左右側壁５ｂと前後仕切部材１７とが平面から見て略Ｔ字状に組み合わせられるように形成されている。また、前後仕切部材１７は、その上端の両端を除いた全域が略Ｌ字形に折り曲げ形成されていることで前後仕切部材１７自体の屈曲に対する補強部１９となっている。
【００３０】
商品陳列台５の左右側壁５ｂと前後仕切部材１７との平面から見て略Ｔ字状となった接合部分には、平面で略Ｌ字形となっている袋状の固定部材１８が嵌め込まれることで左右側壁５ｂに対し前後仕切部材１７が固定される。この固定部材１８は、断面で略逆Ｕ字状に折り曲げられた一対の把持片１８ａ，１８ｂのＵ字端面の側縁同士が直角となって接合されて成る。そして、一方の把持片１８ａが商品陳列台５の左右側壁５ｂのいずれかに嵌着され、同時に他方の把持片１８ｂが前後仕切部材１７の端部に嵌着されることにより、商品陳列台５の左右側壁５ｂと前後仕切部材１７との接合部分が保持される。
【００３１】
このように左右仕切部材１１の取付凹部１６に嵌め合い交差された前後仕切部材１７を介して、販売する１乃至２・３個の販売商品Ｇあるいは商品の試用見本品Ｔを陳列する販売商品陳列部９が商品陳列台５の前部に、複数で多量となっている販売商品Ｇを保管する商品ストック部１０が商品陳列台５の後部にそれぞれ区画形成される。こうして商品ストック部１０内の販売商品Ｇは、販売商品陳列部９における販売商品Ｇの陳列位置に基本的には対応したそれの後方位置で保管される。商品ストック部１０は、直接に販売される販売商品Ｇの販売に足りる所定量の販売商品Ｇを一時的に保管するもので、販売商品陳列部９内の販売商品Ｇが販売され、それが空になったとき等に販売商品陳列部９に補充されるストックヤードとなっている。
【００３２】
また、この前後仕切部材１７自体の左右仕切部材１１に対する交差位置の選択で、販売商品陳列部９あるいは商品ストック部１０の相対的な収納容量を変動できるもので、図３に示す上位置の商品陳列台５のように、例えば後ろから２番目の取付凹部１６に嵌め合い交差されている前後仕切部材１７を固定部材１８と共にいったん外してから、例えば前から２番目の取付凹部１６に嵌め合い交差させ、再度固定部材１８で固定させることができる。すなわち、販売商品陳列部９内で直接に販売すべき販売商品Ｇ数を多くしたい場合には前後仕切部材１７を後部位置に、例えば販売商品Ｇ数の盗難等をいくらかでも抑止すべく少なくしたい場合、あるいは試用見本品Ｔのみとする場合には前後仕切部材１７を前部位置に変更するのであり、販売形態を適宜に選択できるようになっている。
【００３３】
商品陳列台５は、商品陳列部位における上段位の他の商品陳列台５等によって前後仕切部材１７後方の商品ストック部１０の上部開口部分が閉塞される。すなわち、商品陳列台５自体が陳列棚１の棚フレーム３後方側に位置するとき、この商品ストック部１０の上部開口部分は上段位の商品陳列台５自体によって半ば閉塞されるようにしてある（図３参照）。そのために、前後仕切部材１７の上縁は、上段位の商品陳列台５底部に近接した高さ位置に設定して形成してある。ただ、商品ストック部１０の上部開口部分は、上位の商品陳列台５等によって完全に閉塞されているものではなく、商品陳列台５が後方位置にあるときに、例えば窃盗団が前方から手指等を挿入しても商品ストック部１０内の販売商品Ｇを容易に取り出すことができない程度の空隙部分をもって開放されていれば良い。このように、前部の販売商品陳列部９と後部の商品ストック部１０とに区画するための前後仕切部材１７が、商品ストック部１０に保管されている販売商品Ｇを盗難から守る防護壁となっているのである。
【００３４】
また、商品陳列台５を前方にスライド移動したときには、前後仕切部材１７後方の商品ストック部１０自体の上部開口部分は上位の商品陳列台５等の前縁から前方に位置して開放され、商品ストック部１０内の販売商品Ｇを直接に取り出すことができ、販売に伴い減少したときには補充もできるようにしてある。
【００３５】
商品陳列台５自体は、左右に分割区画して使用することもでき、図５に示すように例えば商品陳列台５内に、左右に分割する区画板３０を所定位置で固定配置し、図示のように左側の区画部分では底上部材２１によって背が低い販売商品Ｇを陳列、保管するようにし、右側の区画部分では比較的に背が高い販売商品Ｇを陳列、保管するようにすることができる。尚、底上部材２１の使用区画では高さが低く形成された前後仕切部材１７とされること、また、左右の区画部分それぞれで前後仕切部材１７による販売商品陳列部９、商品ストック部１０相互間の区画位置を別個に設定可能であること、区画板３０に固定部材１８が嵌め合わされること等は勿論である。また、場合によっては１段の棚構成内部で、複数の商品陳列台５を並列使用することも差し支えないのである。
【００３６】
図３および図６に示すように、陳列棚１の段状に配置されている各棚フレーム３の後部には、例えば窃盗団によって商品陳列台５を棚フレーム３前方側へ故意にスライドさせないようにロック機構２２を備えている。ロック機構２２は、棚フレーム３後部の内側面に沿って設けられたシーソー型のレバー２３が中央支持軸２４を介して左右方向に揺動可能となって配されている。そして、レバー２３の一端側はバネ２５によって上方へ付勢され、レバー２３の他端側は下方に押し下げられており、またソレノイドロック２６のプランジャ２７に連結されている。一方、商品陳列台５を載せたスライド台４の後端部には、下方に押し下げられているレバー２３他端が引っ掛けられてロックされるように、中央に孔が設けられたフック部２８が突設され、不図示のスイッチによりソレノイドロック２６を通電させることでプランジャ２７を牽引方向に作動させることによってレバー２３の他端側がフック部２８から解除され、商品陳列台５を前方にスライド可能にさせている。
【００３７】
尚、ロック機構２２はこれに設けた遠隔制御手段等によって、そのＯＮ−ＯＦＦ操作を可能とすることもでき、例えば販売者等による商品の点検、補充その他に際し、ソレノイドロック２６に通電し、これによって商品陳列台５のロックが一時的に解除されるようにしてある。
【００３８】
次に、以上のように構成された形態についての使用の一例について説明すると、陳列棚１の棚フレーム３にスライド手段６を固定配置し、スライド手段６における前後スライドレール８にスライド台４を取り付け、スライド台４に商品陳列台５を固定すると共に、商品陳列台５の後部にロック機構２２を付設しておくことで、陳列棚１における上下方向で複数段の商品陳列部を配置構成する。
【００３９】
図１および図２に示すように、商品陳列台５の下側の左右スライドレール１３に複数枚の左右仕切部材１１の各スライダ１２を掛架させ、左右スライドレール１３に沿ってスライドさせることにより、販売商品Ｇの陳列数、態様その他に応じて左右仕切部材１１同士を適宜間隔で配置する。そして、各左右仕切部材１１それぞれの複数の取付凹部１６に、販売態様に合わせて販売容量を適宜に選定した販売商品陳列部９となるように、販売商品Ｇ数に対応して分割区画する位置に合わせた一つを選んでそこに前後仕切部材１７を嵌め合い交差させる。また、商品陳列台５の左右側壁５ｂと前後仕切部材１７との接合部分に固定部材１８を嵌め込むことで左右側壁５ｂに対し前後仕切部材１７を固定する。これにより商品陳列台５内が左右仕切部材１１によって左右に仕切られると同時に、前後仕切部材１７によって前部の販売商品陳列部９と後部の商品ストック部１０とに区画される。
【００４０】
図４および図５に示すように、商品陳列台５に背の低い商品が陳列される場合には、底上部材２１を、支持片２０上に後部縁を載せた状態で商品陳列台５の内底部に設置させておき、この底上部材２１の上に左右仕切部材１１を、更にこれに交差させて前後仕切部材１７を配置し、同様に前後仕切部材１７の前後に販売商品陳列部９、商品ストック部１０とを区画形成する。
【００４１】
図３に示すように、商品陳列台５は、スライド手段６によって陳列棚１の後方側に押し込まれているときは、商品陳列部位における上段位の他の商品陳列台５等によって前後仕切部材１７後方の商品ストック部１０の上部開口部分が閉塞される。直接に販売すべき販売商品Ｇ自体は、例えばその１個あるいは２・３個にして商品陳列台５における前部の販売商品陳列部９内に販売可能な状態で陳列配置し、更には必要があれば試用見本品Ｔも陳列配置する。また、補充し、ストックとして保管する販売商品Ｇは、後部の商品ストック部１０内に収納しておくのであり、その収納には、スライド手段６によって商品陳列台５を陳列棚１の前方側に引き出して、上段位の商品陳列台５等によっては邪魔されないように商品ストック部１０の上部開口部分を開放させた状態として、引き出し後の後部の商品ストック部１０内に多数の販売商品Ｇを収納する。そして、販売陳列時には、商品陳列台５を陳列棚１の後方側に押し込んでおき、更に必要があればロック機構２２によってレバー２３の他端側をフック部２８に係架させて商品陳列台５をロックしておく。
【００４２】
顧客は、商品陳列台５前面の販売商品陳列部９に陳列配置されている販売可能な販売商品Ｇを購入すべく、取り上げ、取り出し、会計を済ませることで購入できる。また、試用見本品Ｔが置かれている場合には、その試用が可能である。販売商品陳列部９内の販売商品Ｇが完売された場合には、例えば販売者等によるスイッチのＯＮ−ＯＦＦ操作により、ソレノイドロック２６に通電してロック機構２２のロック作用を一時的に解除してから、スライド手段６によって商品陳列台５を陳列棚１の前方側に引き出し、上段位の商品陳列台５等によっては邪魔されないように商品ストック部１０の上部開口部分を開放させた状態とし、引き出し後の後部の商品ストック部１０内から必要な個数だけの販売商品Ｇを取り出し、販売商品陳列部９内に補充する。その後、商品陳列台５を陳列棚１の後方側に押し込んでおき、ロック機構２２に対する通電を遮断し、バネ２５によって下降復帰するレバー２３がフック部２８に引っ掛かることにより商品陳列台５をロックしておく。
【００４３】
商品陳列台５のロック状態では、商品ストック部１０内から例えば大量に販売商品Ｇを持ち出そうとしても、商品陳列台５が後方位置にあり、商品陳列部位における上段位の他の商品陳列台５等によって商品ストック部１０の上部開口部分が閉塞されていると同時に前後仕切部材１７自体が商品ストック部１０に保管されている販売商品Ｇを盗難から守る防護壁となっている。そのため、前方から手指等を挿入しても商品ストック部１０内の販売商品Ｇを容易に取り出すことができず、これによって例えば万引きや大規模な窃盗団・グループ等による盗難等を未然に阻止できる（図３参照）。
【符号の説明】
【００４４】
Ｇ…販売商品                            Ｔ…試用見本品
１…陳列棚                              ２…ラック
３…棚フレーム                          ４…スライド台
５…商品陳列台                          ５ａ…前部壁
５ｂ…左右側壁                          ５ｃ…後部壁
６…スライド手段                        ７…前後ガイドレール
８…前後スライドレール                  ９…販売商品陳列部
１０…商品ストック部                    １１…左右仕切部材
１２…スライダ                          １３…左右スライドレール
１４…把持部                            １５…係止部
１６…取付凹部                          １７…前後仕切部材
１８…固定部材                          １８ａ…一方の把持片
１８ｂ…他方の把持片                    １９…補強部
２０…支持片                            ２１…底上部材
２２…ロック機構                        ２３…レバー
２４…中央支持軸                        ２５…バネ
２６…ソレノイドロック                  ２７…プランジャ
２８…フック部                          ３０…区画板
【図１】
0005543804.tif 000002
【図２】
0005543804.tif 000003
【図３】
0005543804.tif 000004
【図４】
0005543804.tif 000005
【図５】
0005543804.tif 000006
【図６】
0005543804.tif 000007